(57)【要約】【課題】地震の揺れ等により大きな力が加わった場合でも十分な強度を保持する柱脚構造およびその柱脚構造用金具の提供。【解決手段】＜１＞柱支持台ｂを、土台ａ上に、底板２の記ボルト孔６を上記土台のアンカーボルト１４に嵌装させて乗載し、そのアンカーボルト１４にバネ１５を嵌装しさらにナット１７を螺合して上記バネ１５を圧縮緊締し、＜２＞木質柱ｄの、下端面に開口した長孔９に連結軸を受入させるとともに、＜３＞その木質柱ｄを上記柱支持台ｂ１に乗載し、その天板１のボルト孔７と上記連結軸のボルト受け孔１０ｂとに、バネ１２を嵌装したボルトを螺合し上記バネ１２を圧縮緊締し、上記連結軸の上端のボルト受け孔１０ｂに、バネ挿入用空処９’から、バネ１２を嵌装したボルトを螺合し上記バネ１２を圧縮緊締してなる、木造建築物における柱脚構造。【選択図】  図２
2008163652.tif 000002
【特許請求の範囲】
【請求項１】
＜１＞ボルト孔（７）を開設した天板（１）と、ボルト孔（６）を開設した底板（２）と、側板（３，…，…）からなる柱支持台（ｂ）と、
＜２＞両端にボルト受け孔（１０ｂ，１０ｂ）を形成した連結軸と、バネ（１２，１２）と、そのボルト受け孔（１０ｂ，１０ｂ）に螺合され上記バネ（１２，１２）を圧縮緊締するボルト（１１，１１）とからなり、木質柱（ｄ）を柱支持台（ｂ）上に連結保持する柱連結保持金具（ｃ１）と、
＜３＞土台（ａ）に固定されたアンカーボルト（１４）と、このアンカーボルト（１４）に嵌装されるバネ（１５）と、そのバネ（１５）を圧縮緊締するナット（１７，…，…）とからなり、上記柱支持台（ｂ）を土台（ａ）上に連結保持する柱支持台連結保持金具（ｃ２）とからなることを特徴とする木造建築物における柱脚構造用金具。
【請求項２】
上記連結軸が、外周面に雄ネジ（１０ａ）を形成し、木質柱（ｄ）の長孔（９）内にねじ込んで緊密に嵌合させることができるようにした、ラグスクリューボルト（１０）であることを特徴とする請求項１記載の木造建築物における柱脚構造用金具。
【請求項３】
＜１＞ボルト孔（７）を開設した天板（１）と、ボルト孔（６）を開設した底板（２）と、側板（３，…，…）からなる柱支持台（ｂ）と、
＜２＞両端に雄ネジを形成した連結軸と、バネと、上記雄ネジに螺合され上記バネを圧縮緊締するナットとからなり、木質柱（ｄ）を柱支持台（ｂ）上に連結保持する柱連結保持金具（ｃ１）と、
＜３＞土台（ａ）に固定されたアンカーボルト（１４）と、このアンカーボルト（１４）に嵌装されるバネ（１５）と、そのバネ（１５）を圧縮緊締するナット（１７，…，…）とからなり、上記柱支持台（ｂ）を土台（ａ）上に連結保持する柱支持台連結保持金具（ｃ２）とからなることを特徴とする木造建築物における柱脚構造用金具。
【請求項４】
上記バネが、２枚の皿バネを重合した合わせ皿バネ（１２）であることを特徴とする請求項１，２または３記載の木造建築物における柱脚構造用金具。
【請求項５】
＜１＞ボルト孔（７）を開設した天板（１）と、ボルト孔（６）を開設した底板（２）と、側板（３，…，…）からなる柱支持台（ｂ）を、土台（ａ）上に、上記ボルト孔（６）を上記土台（ａ）のアンカーボルト（１４）に嵌装させて乗載し、そのアンカーボルト（１４）にバネ（１５）を嵌装しさらにナット（１７）を螺合して上記バネ（１５）を圧縮緊締し、
＜２＞木質柱（ｄ）の、接合部（８）の下端面と、側面に開口形成されたバネ挿入用空処（９’）の底面とに上下端を開口した長孔（９）に、連結軸を受入させるとともに、
＜３＞その木質柱（ｄ）を上記柱支持台（ｂ）の天板（１）に設立乗載し、柱支持台（ｂ）の天板（１）のボルト孔（７）と上記連結軸の下端のボルト受け孔（１０ｂ）とに、バネ（１２）を嵌装したボルトを螺合し上記バネ（１２）を上記天板（１）との間で圧縮緊締し、上記連結軸の上端のボルト受け孔（１０ｂ）に、同じくバネ（１２）を嵌装したボルトを螺合し上記バネ（１２）を上記バネ挿入用空処（９’）の底面との間で圧縮緊締してなることを特徴とする木造建築物における柱脚構造。
【請求項６】
上記連結軸が、外周面に雄ネジ（１０ａ）を形成し、木質柱（ｄ）の長孔（９）内にねじ込まれて緊密に嵌合したラグスクリューボルト（１０）であることを特徴とする請求項５記載の木造建築物における柱脚構造。
【請求項７】
＜１＞ボルト孔（７）を開設した天板（１）と、ボルト孔（６）を開設した底板（２）と、側板（３，…，…）からなる柱支持台（ｂ）を、土台（ａ）上に、上記ボルト孔（６）を上記土台（ａ）のアンカーボルト（１４）に嵌装させて乗載し、
そのアンカーボルト（１４）にバネ（１５）を嵌装しさらにナット（１７）を螺合して上記バネ（１５）を圧縮緊締し、
＜２＞木質柱（ｄ）の、接合部（８）の下端面と、側面に開口形成されたバネ挿入用空処（９’）の底面とに上下端を開口した長孔（９）に、連結軸を受入させるとともに、
その木質柱（ｄ）を上記柱支持台（ｂ）の天板（１）に設立乗載し、
＜３＞上記連結軸の下端にナットを螺合することにより、バネ（１２）を上記天板（１）との間で圧縮緊締し、上記連結軸の上端にナットを螺合することにより、バネ（１２）を上記バネ挿入用空処（９’）の底面との間で圧縮緊締してなることを特徴とする木造建築物における柱脚構造。
【発明の詳細な説明】
【技術分野】
【０００１】
本発明は、木造建築物における柱脚構造およびその柱脚構造用金具に関する。
【背景技術】
【０００２】
木造建築物における木質柱と土台との接合構造すなわち柱脚構造については、従来より種々のものが提案されているが、木質柱に大きな切欠き部分を形成することなく施工でき強度が高い柱脚構造として、特許文献１に開示されたものがある。
【０００３】
これは、鉄筋コンクリート製の基礎の上方に金属製のベース材を介して木質柱を立設固定するもので、その固定には、外周面に雄ネジを形成するとともに両端部に内面に雌ネジを形成した雌ネジ孔を形成したラグスクリューボルトを用いている。
その木質柱の固定は、具体的には、基礎上に固定したベース材の上面に、底面に開口する長孔内にラグスクリューボルトを緊密にねじ込んだ木質柱を乗載し、上記ラグスクリューボルトの下端の雌ネジ孔に、ベース材の上板部の挿通孔を通してボルトを螺合することにより行われる。
【０００４】
【特許文献１】特開２００５−２３２７１１号公報
【発明の開示】
【発明が解決しようとする課題】
【０００５】
しかし、この木質柱とベース材とは遊びのない完全な剛体構造をなすので、地震の揺れ等により上記ラグスクリューボルトが木質柱の孔から抜ける方向に大きな力が加わり、木質柱の長孔の内面を削ってしまうと、その引抜き耐力が極端に低下し該柱脚構造の強度が不十分となる。
【０００６】
そこで、本発明は、地震の揺れ等により大きな力が加わった場合でも十分な強度を保持する柱脚構造およびその柱脚構造用金具の提供を課題とする。
【課題を解決するための手段】
【０００７】
請求項１記載の本発明は、
＜１＞ボルト孔７を開設した天板１と、ボルト孔６を開設した底板２と、側板３，…，…からなる柱支持台ｂと、
＜２＞両端にボルト受け孔１０ｂ，１０ｂを形成した連結軸と、バネ１２，１２と、そのボルト受け孔１０ｂ，１０ｂに螺合され上記バネ１２，１２を圧縮緊締するボルト１１，１１とからなり、木質柱ｄを柱支持台ｂ上に連結保持する柱連結保持金具ｃ１と、
＜３＞土台ａに固定されたアンカーボルト１４と、このアンカーボルト１４に嵌装されるバネ１５と、そのバネ１５を圧縮緊締するナット１７，…，…とからなり、上記柱支持台ｂを土台ａ上に連結保持する柱支持台連結保持金具ｃ２とからなる木造建築物における柱脚構造用金具である。
【０００８】
請求項２記載の本発明は、上記連結軸が、外周面に雄ネジ１０ａを形成し、木質柱ｄの長孔９内にねじ込んで緊密に嵌合させることができるようにした、ラグスクリューボルト１０である請求項１記載の木造建築物における柱脚構造用金具である。
【０００９】
請求項３記載の本発明は、
＜１＞ボルト孔７を開設した天板１と、ボルト孔６を開設した底板２と、側板３，…，…からなる柱支持台ｂと、
＜２＞両端に雄ネジを形成した連結軸と、バネと、上記雄ネジに螺合され上記バネを圧縮緊締するナットとからなり、木質柱ｄを柱支持台ｂ上に連結保持する柱連結保持金具ｃ１と、
＜３＞土台ａに固定されたアンカーボルト１４と、このアンカーボルト１４に嵌装されるバネ１５と、そのバネ１５を圧縮緊締するナット１７，…，…とからなり、上記柱支持台ｂを土台ａ上に連結保持する柱支持台連結保持金具ｃ２とからなる木造建築物における柱脚構造用金具である。
【００１０】
請求項４記載の本発明は、上記バネが、２枚の皿バネを重合した合わせ皿バネ１２である請求項１，２または３記載の木造建築物における柱脚構造用金具である。
【００１１】
請求項５記載の本発明は、
＜１＞ボルト孔７を開設した天板１と、ボルト孔６を開設した底板２と、側板３，…，…からなる柱支持台ｂを、土台ａ上に、上記ボルト孔６を上記土台ａのアンカーボルト１４に嵌装させて乗載し、そのアンカーボルト１４にバネ１５を嵌装しさらにナット１７を螺合して上記バネ１５を圧縮緊締し、
＜２＞木質柱ｄの、接合部８の下端面と、側面に開口形成されたバネ挿入用空処９’の底面とに上下端を開口した長孔９に、連結軸を受入させるとともに、
＜３＞その木質柱ｄを上記柱支持台ｂの天板１に設立乗載し、柱支持台ｂの天板１のボルト孔７と上記連結軸の下端のボルト受け孔１０ｂとに、バネ１２を嵌装したボルトを螺合し上記バネ１２を上記天板１との間で圧縮緊締し、
上記連結軸の上端のボルト受け孔１０ｂに、同じくバネ１２を嵌装したボルトを螺合し上記バネ１２を上記バネ挿入用空処９’の底面との間で圧縮緊締してなる、木造建築物における柱脚構造である。
【００１２】
請求項６記載の本発明は、上記連結軸が、外周面に雄ネジ１０ａを形成し、木質柱ｄの長孔９内にねじ込まれて緊密に嵌合したラグスクリューボルト１０である請求項５記載の木造建築物における柱脚構造である。
【００１３】
請求項７記載の本発明は、
＜１＞ボルト孔７を開設した天板１と、ボルト孔６を開設した底板２と、側板３，…，…からなる柱支持台ｂを、土台ａ上に、上記ボルト孔６を上記土台ａのアンカーボルト１４に嵌装させて乗載し、
そのアンカーボルト１４にバネ１５を嵌装しさらにナット１７を螺合して上記バネ１５を圧縮緊締し、
＜２＞木質柱ｄの、接合部８の下端面と、側面に開口形成されたバネ挿入用空処９’の底面とに上下端を開口した長孔９に、連結軸を受入させるとともに、
その木質柱ｄを上記柱支持台ｂの天板１に設立乗載し、
＜３＞上記連結軸の下端にナットを螺合することにより、バネ１２を上記天板１との間で圧縮緊締し、上記連結軸の上端にナットを螺合することにより、バネ１２を上記バネ挿入用空処９’の底面との間で圧縮緊締してなる、木造建築物における柱脚構造である。
【発明の効果】
【００１４】
本発明によれば、地震の揺れ等により大きな力が加わった場合でも十分な強度を保持する柱脚構造を提供することができる。
【発明を実施するための最良の形態】
【００１５】
＜１＞ボルト孔７を開設した天板１と、ボルト孔６を開設した底板２と、側板３，…，…からなる柱支持台ｂを、土台ａ上に、上記ボルト孔６を上記土台のアンカーボルト１４に嵌装させて乗載し、
そのアンカーボルト１４にバネ１５を嵌装しさらにナット１７を螺合して上記バネ１５を圧縮緊締し、＜２＞木質柱ｄの、接合部８の下端面と、側面に開口形成されたバネ挿入用空処９’の底面とに上下端を開口した長孔９に、連結軸を受入させるとともに、＜３＞その木質柱ｄを上記柱支持台ｂの天板１に設立乗載し、柱支持台ｂの天板１のボルト孔７と上記連結軸の下端のボルト受け孔１０ｂとに、バネ１２を嵌装したボルトを螺合し上記バネ１２を上記天板１との間で圧縮緊締し、
上記連結軸の上端のボルト受け孔１０ｂに、同じくバネ１２を嵌装したボルトを螺合し上記バネ１２を上記バネ挿入用空処９’の底面との間で圧縮緊締してなる、木造建築物における柱脚構造。
【実施例】
【００１６】
本発明の実施例に係る柱脚構造は、概括的には、土台ａの上に、柱支持台ｂと連結保持金具ｃとからなる柱脚構造用金具を用いて、木質柱ｄを連結保持するものである。
【００１７】
上記柱支持台ｂは、方形の天板１と底板２と左右両側に切欠き３ａ，３ａを形成して「エ」字形をなす４枚の側板３，…，…とを直方体状に組んで溶接により固定してなる鋼製ものである。
この柱支持台ｂの天板１と底板２との間には、平面十字状にした補強板４，４が入れてあり、これにより４つの区画室５，…，…に区画されている。その各区画室５，…，…はそれぞれ、互いに隣接する上記側板３，…，…の切欠き３ａ，…，…により形成される開口部３ｂ，…，…を有している。
６，…，…は、底板２の各区画室の中央の位置に開設された４つのボルト孔、７，…，…は、天板１の各区画室の中央の位置に開設された４つのボルト孔である。
【００１８】
上記木質柱ｄは、上記天板１と同大の方形の断面をなすもので、その接合部８の下端面には、上記ボルト孔７，…，…に対応することとなる位置に開口する４本の長孔９，…，…が穿設されている。
この長孔９，…，…は、後記のラグスクリューボルト１０の長さよりも若干長くして、また、そのラグスクリューボルト１０を緊密にねじ込んで受入させることができる所定の径にして形成されており、その上端は、該木質柱ｄの側面にそれぞれ開口形成された４つのバネ挿入用空処９’の底面に開口している。
【００１９】
上記連結保持金具ｃ，…，…は、上記木質柱ｄを柱支持台ｂ上に連結保持する柱連結保持金具ｃ１と、上記柱支持台ｂを土台ａ上に連結保持する柱支持台連結保持金具ｃ２とからなる。
【００２０】
上記柱連結保持金具ｃ１は、木質柱ｄの長孔９にねじ込んで引き抜き耐力を発揮する雄ネジ１０ａをその外周面に形成するとともに、その引き抜き耐力を他部材に伝達するために、両端部に内面に雌ネジを形成したボルト受け孔１０ｂを形成したラグスクリューボルト（連結軸）１０と、上記ボルト受け孔１０ｂ，１０ｂに螺合されるボルト１１，１１と、１対の薄椀状の皿バネを重合させてなる合わせ皿バネ１２，１２と、ワッシャー１３，…，…からなるものである。
なお、上記ラグスクリューボルト１０の両端には、木質柱ｄへのねじ込みを可能とするために断面６角形状のねじ込み部１０ｃ，１０ｃが形成されている。
【００２１】
上記柱支台連結保持金具ｃ２は、土台ａに固定されたアンカーボルト１４，…，…と、このアンカーボルト１４に嵌装される薄椀状の皿バネ１５，…，…と、ワッシャー１６，…，…と、ナット１７，…，…とからなる。
【００２２】
上記柱脚構造は、たとえば以下の手順に従って施工され、木質柱ｄを土台ａ上に連結保持するものである。
【００２３】
まず、上記柱支持台ｂを土台ａ上に、アンカーボルト１４，…，…に上記ボルト孔６，…，…を嵌装させて乗載する。
【００２４】
続いて、そのアンカーボルト１４，…，…の上端より上記皿バネ１５，…，…とワッシャー１６，…，…とを順に嵌装し、さらに、ナット１７，…，…を螺合し上記皿バネ１５，…，…を上記底板２との間で圧縮緊締する。
これによって、上記柱支持台ｂは大きな力が加えられた場合には上記皿バネ１５，…，…を伸縮させて微小動可能な状態で、土台ａ上に連結保持される。
【００２５】
一方、上記木質柱ｄの上記長孔９，…，…には、それぞれラグスクリューボルト１０を、その上端が長孔９，…，…の上端から上記バネ挿入用空処９’に突出せず、また、その下端が木質柱ｄの下端面に突出しない状態にねじ込んでおく。
【００２６】
そして、その木質柱ｄを上記柱支持台ｂの天板１に設立乗載して、支持台ｂの天板１のボルト孔７，…，…の位置に、上記上記長孔９，…，…内のラグスクリューボルト１０の下端のボルト受け孔１０ｂ，…，…を合致させる。
【００２７】
上記のようにして合致したボルト孔７，…，…とボルト受け孔１０ｂ，…，…に、上記ワッシャー１３，…，…と合わせ皿バネ１２，…，…とを順に嵌装した上記上記ボルト１１，…，…を螺合し上記合わせ皿バネ１２，…，…を上記天板１との間で圧縮緊締する。
これによって、上記木質柱ｄは、大きな力が加えられた場合には上記合わせ皿バネ１２，…，…を伸縮させて微動可能な状態で、上記柱支持台ｂ上に連結保持される。
【００２８】
最後に、上記木質柱ｄのバネ挿入用空処９’より、上記ラグスクリューボルト１０の上端のボルト受け孔１０ｂ，…，…に、合わせ皿バネ１２，…，…とその上下のワッシャー１３，…，…とを嵌装したボルト１４，…，…を螺緊締合することにより、その合わせ皿バネ１２，…，…を介してその下側の上記ワッシャー１３，…，…を上記バネ挿入用空処９’の底面に圧接させる。
【００２９】
上記のようにしてなる柱脚構造は、地震等の揺れにより大きな力が加わって揺動する際に、上記皿バネ１５，…，…および上記合わせ皿バネ１２，…，…が伸縮するので、各部材に無理な力をかけることなくその揺動を吸収することができる。
【００３０】
また、仮に、過大な力が加わり、上記ラグスクリューボルト１０がズレて、木質柱ｄの長孔９，…，…の内面を削ってしまうことがあっても、そのラグスクリューボルト１０の上端および下端の合わせ皿バネ１２，…，…が、予め圧縮されたされた状態になっているので、柱支持台ｂの天板１および木質柱ｄのバネ挿入用空処９’の底面との間で効き、それら柱支持台ｂと木質柱ｄとを連結保持するので、引抜き耐力が低下してしまうようなことがない。
【００３１】
なお、上記の合わせ皿バネ１２，…，…は、一対の同径の皿バネを、互いの凹んだ側を向き合わせて重合させて使用した例を図示したが、逆に、凸側を向き合わせて重合して使用してもよい。さらには、異径の皿バネを重合してもよい。また、皿バネの他、板バネ、コイルバネ等を用いることも可能である。
【００３２】
また、連結軸としては、上記ラグスクリューボルト１０に代え、外周面にネジを形成していない丸棒（あるいは角棒）の両端にボルト受け孔を形成したものを上記木質柱ｄの長孔９に受入させ、その両端にバネを嵌装したボルトを螺合し上記バネを圧縮緊締することも可能である。
あるいは、連結軸として、両端に雄ネジを形成した長尺のボルトを使用し、その両端を突出させてそこにナットを螺合し、バネを圧縮緊締することも可能である。
【図面の簡単な説明】
【００３３】
【図１】本発明の実施例に係る木造建築物における柱脚構造の透過斜視図である。
【図２】同上の縦断面図である。
【図３】同上の分解図である。
【図４】上記柱脚構造において立設される木質柱にラグスクリューボルトをねじ込む途中の状態を示す縦断面図である。
【図５】上記ラグスクリューボルトの拡大斜視図である。
【符号の説明】
【００３４】
ａ 土台
ｂ 柱支持台
ｃ 連結保持金具
ｃ１ 柱連結保持金具
ｃ２ 柱支持台連結保持金具
ｄ 木質柱
１ 天板
２ 底板
３ 側板
６ ボルト孔
７ ボルト孔
８ 接合部
９ 長孔
９’ バネ挿入用空処
１０ａ 雄ネジ
１０ｂ ボルト受け孔
１１ ボルト
１２ 合わせ皿バネ
１４ アンカーボルト
１５ 皿バネ
１７ナット
【図１】
2008163652.tif 000003
【図２】
2008163652.tif 000004
【図３】
2008163652.tif 000005
【図４】
2008163652.tif 000006
【図５】
2008163652.tif 000007